(57)【要約】【課題】コネクタの結露及び延焼を防止する構造を、組立作業性に優れた簡単な構成で実現する冷蔵庫を提供する。【解決手段】内箱４の内部に設けられた電気部品３６，３８と、内箱４に設けられた貫通孔４ｂに挿入され断熱空間から内箱４の内部へ突出するように設けられた第１コネクタ５１と、電気部品３６，３８のリード線３９に設けられ第１コネクタ５１に接続される第２コネクタ５２と、第１コネクタ５１の周りに設けられ、内箱４の内部へ開口する開口部５３ａを有する第１ケース５３と、第１コネクタ５１と第２コネクタ５２を収納しつつ、第１ケース５３の開口部５３ａを閉塞する第２ケース５４とを備える冷蔵庫である。【選択図】        図３
2020190362.tif 000002
【特許請求の範囲】
【請求項１】
外箱と、前記外箱の内部に設けられた内箱と、前記外箱と前記内箱の間に形成された断熱空間に設けられた断熱材とを備える断熱箱体と、
前記内箱の内部に設けられた電気部品と、
前記内箱に設けられた貫通孔に挿入され前記断熱空間から前記内箱の内部へ突出するように設けられた第１コネクタと、
前記電気部品のリード線に設けられ前記第１コネクタに接続される第２コネクタと、
前記第１コネクタの周りに設けられ、前記内箱の内部へ開口する開口部を有する第１ケースと、
前記第１コネクタと前記第２コネクタを収納しつつ、前記第１ケースの前記開口部を閉塞する第２ケースとを備える冷蔵庫。
【請求項２】
前記第１コネクタは、前記内箱の前記断熱空間側に当接する断熱側当接部と、前記内箱の内側に当接する庫内側当接部とを備え、
前記第１ケースは、前記第１コネクタの前記庫内側当接部が挿通される取付孔を備え、前記取付孔の周縁部が前記内箱と前記庫内側当接部との間で挟持されることで、前記第１コネクタの周りに設けられている請求項１に記載の冷蔵庫。
【請求項３】
前記第２ケースが、セルフヒンジ部によって前記第１ケースに対して前記開口部を開閉可能に連結されている請求項１又は２に記載の冷蔵庫。
【請求項４】
前記リード線が、前記第２ケースに対して固定されている請求項１〜３のいずれか１項に記載の冷蔵庫。
【請求項５】
前記第１ケース及び前記第２ケースは、前記内箱の冷蔵庫幅方向の一方側へ寄った位置に設けられ、
前記第２ケースは、前記リード線が挿通されるリード挿通孔を備え、
前記リード挿通孔が、前記第２ケースの冷蔵庫幅方向の中央部より前記一方側へ寄った位置に設けられている請求項１〜４のいずれか１項に記載の冷蔵庫。
【発明の詳細な説明】
【技術分野】
【０００１】
本発明の実施形態は、冷蔵庫に関するものである。
【背景技術】
【０００２】
冷蔵庫では、除霜ヒータやファンなどの庫内に設けられた電気部品が、庫内に配置されたコネクタを介して庫外に設けられた制御基板と接続されていることがある（例えば、下記特許文献１）。
【先行技術文献】
【特許文献】
【０００３】
【特許文献１】特開平７−２１８１２０号公報
【発明の概要】
【発明が解決しようとする課題】
【０００４】
このような冷蔵庫では、結露水がコネクタに付着してコネクタ端子の劣化を防止したり、万一、コネクタが異常発熱した時に他部品への延焼を防止したりするため、コネクタを難燃性の袋状部材で覆うことがある。
【０００５】
しかしながら、袋内部に結露水が堆積するのを防止するため、コネクタから延びるリード線が袋状部材の下側から引き出されるように、コネクタを固定しながら袋状部材で覆う必要があり、冷蔵庫内の奥側の狭い空間にコネクタがあると作業しにくいことがある。
【０００６】
本発明は、上記事情を考慮してなされたものであり、コネクタの結露及び延焼を防止する構造を、組立作業性に優れた簡単な構成で実現することができる冷蔵庫を提供することを目的とする。
【課題を解決するための手段】
【０００７】
本発明の一実施形態の冷蔵庫は、外箱と、前記外箱の内部に設けられ前記外箱との間で断熱空間を形成する内箱と、前記断熱空間に設けられた断熱材とを備える断熱箱体と、前記内箱の内部に設けられた電気部品と、前記内箱に設けられた貫通孔に挿入され前記断熱空間から前記内箱の内部へ突出するように設けられた第１コネクタと、前記電気部品のリード線に設けられ前記第１コネクタに接続される第２コネクタと、前記第１コネクタの周りに設けられ前記内箱の内部へ開口する開口部を有する第１ケースと、前記第１コネクタと前記第２コネクタを収納しつつ前記第１ケースの前記開口部を閉塞する第２ケースとを備えるものである。
【図面の簡単な説明】
【０００８】
【図１】本発明の一実施形態の冷蔵庫の概略構成を示す縦断面図
【図２】扉、仕切板及びエバカバーを外した状態の冷凍空間の正面図
【図３】接続部の断面図
【図４】図３のＡ−Ａ断面図
【図５】接続部の組立方法を示す断面図
【図６】接続部の組立方法を示す断面図
【図７】本発明の変更例１の冷蔵庫における接続部の断面図
【図８】本発明の変更例２の冷蔵庫における扉、仕切板及びエバカバーを外した状態の冷凍空間の正面図
【発明を実施するための形態】
【０００９】
以下、本発明の一実施形態の冷蔵庫１について図面に基づき説明する。
【００１０】
（１）冷蔵庫１の構成
冷蔵庫１は、図１及び図２に示すように、前面に開口する断熱箱体からなる冷蔵庫本体２を備える。冷蔵庫本体２は、鋼板製の外箱３と、外箱３の内部に設けられた内箱４と、外箱３と内箱４の間に形成された断熱空間に設けられた断熱材５とを有して構成されている。
【００１１】
冷蔵庫本体２の外郭を構成する外箱３は、左側面、右側面、天面、底面及び背面を有する前面に開口した箱状をなしている。内箱４は、合成樹脂材を真空成形機によって成形したもので、外箱３の左側面、右側面、天面、底面及び背面とそれぞれ対向する左側面、右側面、天面、底面及び背面を有する前面に開口した箱状をなしている。
【００１２】
内箱４の背面には、後述する断熱仕切壁１２を形成する仕切部４ａが内箱４の前面開口部に向けて突出している。この仕切部４ａは、内箱４の左側面、右側面、及び背面に開口し、この開口を介して外箱３と内箱４との間に形成される断熱空間と連通している。
【００１３】
外箱３と内箱４の間に形成された断熱空間には、ウレタンフォーム等の発泡断熱材や真空断熱パネル等の断熱材５が設けられている。断熱仕切壁１２を形成する仕切部４ａの内部にも発泡断熱材などの断熱材５が設けられている。
【００１４】
内箱４の内部には、複数の貯蔵室が設けられている。具体的には、上段から順に、冷蔵室６、野菜室７が設けられ、その下方に製氷室と第１冷凍室９が左右に並べて設けられ、これらの下方に第２冷凍室１０が設けられている。
【００１５】
冷蔵室６及び野菜室７は、いずれも冷蔵温度帯（例えば、１〜４℃）に冷却される貯蔵室であり、それらの間は、合成樹脂製の仕切板１１により上下に仕切られている。
【００１６】
野菜室７の下方は、内部に断熱材５が設けられた断熱仕切壁１２によって仕切られ、冷凍温度帯（例えば、−１０〜−２０℃）に冷却される冷凍空間が形成されている。この冷凍空間は、仕切板１３によって上下に区画され、その上方空間が更に不図示の仕切板によって左右に分割され製氷室及び第１冷凍室９が設けられ、仕切板１３の下方に第２冷凍室１０が設けられている。
【００１７】
冷蔵室６及び野菜室７の後部には、エバカバー２０と内箱４の背面とで前後に区画された冷蔵冷却器室２２と、冷蔵冷却器室２２及び冷蔵室を連結するダクト２３が設けられている。冷蔵冷却器室２２には、冷蔵冷却器２４、冷蔵ファン２６等が収納されている。
【００１８】
製氷室、第１冷凍室９及び第２冷凍室１０の後部には、エバカバー３０と内箱４の背面とで前後に区画された冷凍冷却器室３２と、製氷室、第１冷凍室９及び第２冷凍室１０と冷凍冷却器室３２とを連結するダクト３３とが形成されている。冷凍冷却器室３２には、冷凍冷却器３４、冷凍ファン３６、除霜ヒータ３８及び排水樋３７等が収納されている。
【００１９】
冷蔵冷却器２４及び冷凍冷却器３４は、機械室４０に収納された圧縮機４２や凝縮器（不図示）とともに冷凍サイクルを構成する。冷凍サイクルでは、圧縮機４２から吐出された冷媒が不図示の切替弁によって冷蔵冷却器２４及び冷凍冷却器３４の一方に供給されることで所定温度に冷蔵冷却器２４及び冷凍冷却器３４が冷却される。
【００２０】
冷蔵冷却器２４は、冷蔵冷却器室２２の空気を冷却して、例えば、−１０〜−２０℃の冷気を生成する。冷蔵冷却器室２２で生成された冷気は、冷蔵ファン２６の回転によって、冷蔵室６及び野菜室７に供給され、これにより、冷蔵室６及び野菜室７は、冷蔵室６に設けられた温度センサ１４の検出温度が所定温度になるように冷却される。
【００２１】
冷凍冷却器３４は、冷凍冷却器室３２の空気を冷却して、例えば、−２０〜−３０℃の冷気を生成する。生成した冷気は、冷凍ファン３６の回転によってダクトを介して製氷室、第１冷凍室９及び第２冷凍室１０に供給され、これにより、氷室、第１冷凍室９及び第２冷凍室１０は、第２冷凍室１０に設けられた温度センサ１５の検出温度が所定温度になるように冷却される。
【００２２】
冷凍冷却器３４の下方には、除霜ヒータ３８と排水樋３７が設けられており、所定のタイミングで除霜ヒータ３８を通電することで、冷凍冷却器３４を加熱して付着した霜を融解除去する。この時、融解した除霜水は排水樋３７より機械室４０に設けられた蒸発皿へ排出される。
【００２３】
上記の温度センサ１５や冷凍ファン３６や除霜ヒータ３８は、内箱４の内部に設けられた電気部品である。これらの電気部品１５，３６，３８は、冷凍冷却器室３２に設けられた接続部５０において、冷蔵庫本体２の外側に設けられた制御基板４３から内箱４の断熱空間内を通って延びるリード線４４に接続され、制御基板４３から駆動電源や制御信号が伝送される。
【００２４】
（２）接続部５０の構成
図２〜図４に示すように、接続部５０は、内箱４の内側に固定された第１コネクタ５１及び第１ケース５３と、第１コネクタ５１に接続される第２コネクタ５２と、第１ケース５３とともに第１コネクタ５１及び第２コネクタ５２を覆う第２ケース５４とを備える。
【００２５】
接続部５０は、例えば、冷凍冷却器３４近傍における断熱仕切壁１２の下面であって、冷蔵庫幅方向の一方側へ寄った位置（本実施形態では、冷蔵庫を正面から見て左側）に設けられている。
【００２６】
第１コネクタ５１は、制御基板４３に接続されたリード線４４の先端に設けられたメス側のコネクタであって、第２コネクタ５２を差し込む差込口が内箱４から庫内側へ突出するように、断熱仕切壁１２の下面を構成する内箱４の仕切部４ａに設けられた貫通孔４ｂに挿通されている。
【００２７】
第１コネクタ５１は、略直方体状のハウジング５１ａと、リード線４４に電気接続された不図示の端子から構成されている。
【００２８】
ハウジング５１ａは、対向する側面に設けられたパネルロック構造を備える。図３に示すように、パネルロック構造は、ハウジング５１ａの先端からリード線４４が引き出される側（以下、ハウジング５１ａにおいてリード線４４が引き出される側を基端側といい、基端側の端部及び先端を基端部及び基端ということもある）へ行くほどハウジング５１ａから離れる方向へ延びる一対のアーム部５１ｂと、アーム部５１ｂの基端部に設けられた庫内側当接部５１ｃと、ハウジング５１ａの側面から突出する断熱側当接部５１ｄとを備える。
【００２９】
アーム部５１ｂは、庫内側当接部５１ｃがハウジング５１ａの側面に近接離隔する方向に弾性変形可能に設けられている。アーム部５１ｂが外力を受けていない状態では、一対のアーム部５１ｂに設けられた庫内側当接部５１ｃの間隔は、内箱４の貫通孔４ｂの口径より大きいが、ハウジング５１ａの側面に近接するように変形させると、ハウジング５１ａとともに庫内側当接部５１ｃを内箱４の貫通孔４ｂに挿通することができるようになっている。
【００３０】
庫内側当接部５１ｃは、基端側へ行くほどハウジング５１ａに近づくように傾斜する傾斜面５１ｆを有している。
【００３１】
断熱側当接部５１ｄは、ハウジング５１ａの対向する側面から突出しており、断熱側当接部５１ｄの先端の間隔が内箱４の貫通孔４ｂの口径より大きくなっている。また、断熱側当接部５１ｄは、庫内側当接部５１ｃの基端までの距離が内箱４の仕切部４ａの厚さと等しくなるように、庫内側当接部５１ｃより離れた位置に設けられている。
【００３２】
このような第１コネクタ５１は、一対のアーム部５１ｂの間隔を狭めながら内箱４の断熱空間側から貫通孔４ｂに挿入される。これにより、図３に示すように、庫内側当接部５１ｃの基端部（先端部）が貫通孔４ｂの周縁部の庫内側に当接し、断熱側当接部５１ｄが貫通孔４ｂの周縁部の断熱空間側に当接して、庫内側当接部５１ｃと断熱側当接部５１ｄとの間で内箱４が挟持され、第１コネクタ５１が内箱４に固定される。
【００３３】
第２コネクタ５２は、温度センサ１５や冷凍ファン３６や除霜ヒータ３８等の電気部品のリード線を一体に束線化したリード線３９の先端に設けられたオス側のコネクタであって、略直方体状のハウジング５２ａと不図示の端子から構成されている。
【００３４】
図４に示すように、ハウジング５２ａの側面には、係止爪５２ｂが設けられている。第２コネクタ５２が第１コネクタ５１に奥まで差し込まれると、係止爪５２ｂが第１コネクタ５１のハウジング５１ａの側面に設けられた係合突起５１ｅに係合することで、第２コネクタ５２の抜けを防止する。
【００３５】
第１ケース５３は、下方に開口部５３ａを有する難燃性プラスチック製の箱状体からなり、内箱４より庫内側へ突出する第１コネクタ５１を挿通する取付孔５３ｂが底面に設けられている。取付孔５３ｂは、第１ケース５３の外側（図３の上側）より第１ケース５３の内側（図３の下側）の口径が大きくなる段付き孔からなる。取付孔５３ｂの口径は、アーム部５１ｂが外力を受けていない状態における庫内側当接部５１ｃの間隔より小さく、一対のアーム部５１ｂの間隔を狭めることでハウジング５１ａとともにアーム部５１ｂ及び庫内側当接部５１ｃが取付孔５３ｂに挿通される。
【００３６】
第１ケース５３の開口部５３ａの周縁部には、外方へ延びるフランジ部５３ｃが周縁部全周にわたって設けられている。
【００３７】
第１ケース５３の対向する側面に設けられたフランジ部５３ｃの一方には第１係合枠５３ｄが設けられ、他方には爪部５３ｅが設けられている。第１係合枠５３ｄは、フランジ部５３ｃに沿って開口部５３ａの外方へ突出し、その内側に第２ケース５４の突状片５４ｄが挿入される嵌合孔５３ｆ（図５及び図６参照）が設けられている。
【００３８】
爪部５３ｅは、フランジ部５３ｃに沿って開口部５３ａの外方へ突出し、第１ケース５３の底面側から開口部５３ａ側に行くにしたがって（図４において下方へ行くにしたがって）開口部５３ａの内方へ向かう傾斜面が設けられている。
【００３９】
このような第１ケース５３は、一対のアーム部５１ｂの間隔を狭めながら第１ケース５３の底面に設けられた取付孔５３ｂにアーム部５１ｂ及び庫内側当接部５１ｃを挿通することで、庫内側当接部５１ｃの傾斜面５１ｆが取付孔５３ｂの内周面に当接し、傾斜面５１ｆと内箱４との間で取付孔５３ｂの周縁部（取付孔５３ｂの内周面）が挟持される。これにより、第１ケース５３の開口部５３ａを下方に向けつつ第１コネクタ５１の周りに第１ケース５３が固定される。
【００４０】
第２ケース５４は、上方に開口部５４ａを有する難燃性プラスチック製の箱状体からなり、第１ケース５３の開口部５３ａを開閉可能に閉塞する。第２ケース５４の底面の中央部には、第２コネクタ５２に接続されたリード線３９を挿通するリード挿通孔５４ｂが設けられている。リード挿通孔５４ｂとリード線３９との間には、ソフトテープなどの適度な弾力性と透水性を有する固定部５４ｈが設けられている。固定部５４ｈは、第２ケース５４内で発生した水を外部へ排出しつつ、リード線３９をリード挿通孔５４ｂの位置において第２ケース５４に固定する。
【００４１】
第２ケース５４の開口部５４ａの周縁部には、外方へ延びるフランジ部５４ｃが周縁部全周にわたって設けられている。フランジ部５４ｃは、第１ケース５３のフランジ部５３ｃとの対向面（図３の上面）にゴムシートなどのガスケット５５が設けられている。
【００４２】
第２ケース５４の対向する側面に設けられたフランジ部５４ｃの一方には第１ケース５３の嵌合孔５３ｆに挿入される突状片５４ｄが設けられ、他方には第１ケース５３の爪部５３ｅと係合する第２係合枠５４ｅが設けられている。
【００４３】
突状片５４ｄは、フランジ部５４ｃに沿って開口部５４ａの外方へ突出し、その先端部に第１ケース５３の第１係合枠５３ｄと係合する係合突起５４ｆが設けられている。第２係合枠５４ｅは、フランジ部５４ｃに対して略垂直な方向へ突出し、その内側に第１ケース５３の爪部５３ｅが挿入される係合孔５４ｇが設けられている。
【００４４】
第２ケース５４は、突状片５４ｄの係合突起５４ｆが第１ケース５３の第１係合枠５３ｄに係合するとともに、第２係合枠５４ｅに第１ケース５３の爪部５３ｅが係合する。これにより、ガスケット５５を介在させつつ第１ケース５３のフランジ部５３ｃと第２ケース５４のフランジ部５４ｃとが当接して、内部に第１コネクタ５１及び第２コネクタ５２を収納した状態で第２ケース５４が第１ケース５３の開口部５３ａを閉塞する。
【００４５】
（３）接続部５０の組立方法
次に接続部５０の組立方法について説明する。
【００４６】
まず、リード線４４の先端に設けられた第１コネクタ５１を内箱４の貫通孔４ｂに挿通して内箱４に第１コネクタ５１を固定する。第１コネクタ５１を固定した内箱４を外箱３に組み付けるとともに断熱空間に断熱材５を設けることで、第１コネクタ５１のアーム部５１ｂ及び庫内側当接部５１ｃが冷凍冷却器室３２の天井面から下方へ向けて突出する冷蔵庫本体２を作製する。
【００４７】
次いで、第１ケース５３の底面を上方に向けつつ第１ケース５３を上方へ移動させて、第１コネクタ５１のアーム部５１ｂ及び庫内側当接部５１ｃを取付孔５３ｂに挿通することで、第１コネクタ５１の周りにおいて第１ケース５３を内箱４に固定する。その際、爪部５３ｅが冷蔵庫前側に位置し、突状片５４ｄが冷蔵庫奥側に位置するように、第１コネクタ５１の周りに第１ケース５３を固定する。なお、アーム部５１ｂがハウジング５１ａの基端側に行くほどハウジング５１ａから離れる方向へ延びているため、第１ケース５３を上方移動させると一対のアーム部５１ｂの間隔が狭められ、取付孔５３ｂにアーム部５１ｂ及び庫内側当接部５１ｃを簡単に挿通することができる。
【００４８】
次いで、内箱４の内部に設ける電気部品のリード線を一体に束線化したリード線３９を、第２ケース５４の外側からリード挿通孔５４ｂに挿通した後、リード線３９の端部に第２コネクタ５２を取り付ける。
【００４９】
次いで、図５に示すように内箱４から突出する第１コネクタ５１に第２コネクタ５２を連結する。そして、フランジ部５４ｃの上面にガスケット５５を設けた後、図６に示すように第２ケース５４の突状片５４ｄを下方から第１ケース５３の嵌合孔５３ｆに挿通して第１係合枠５３ｄに係合突起５４ｆを係合させる。そして、第２ケース５４の第２係合枠５４ｅが上方へ移動するように第１係合枠５３ｄを回動軸として第２ケース５４を回動させて、係合孔５４ｇに第１ケース５３の爪部５３ｅを挿通して第２係合枠５４ｅに爪部５３ｅを係合させる。これにより、第１ケース５３及び第２ケース５４によって区画された内部空間に第１コネクタ５１及び第２コネクタ５２を収納してなる接続部５０を内箱４に取り付けることができる。
【００５０】
（４）効果
本実施形態の冷蔵庫１では、第１ケース５３及び第２ケース５４によって閉塞された空間に第１コネクタ５１及び第２コネクタ５２を収納することができる。そのため、第１コネクタ５１及び第２コネクタ５２に冷気が直接当たるのを防ぎ結露を防止することができたり、第１コネクタ５１及び第２コネクタ５２が異常発熱した時に他部品への延焼を防止することができる。
【００５１】
本実施形態では、第１コネクタ５１が内箱４に固定されているため、冷蔵庫搬送中等に第１コネクタ５１と第２コネクタ５２との接続部分が移動して、周囲に設けられた冷凍冷却器３４などと接触したりすることがない。
【００５２】
本実施形態では、リード挿通孔５４ｂが第２ケース５４の底面に設けられているため、第１ケース５３及び第２ケース５４の内部で水（結露水）が発生しても、その水をリード挿通孔５４ｂから外部へ排水することができる。
【００５３】
本実施形態では、第１コネクタ５１の庫内側当接部５１ｃと内箱４との間で第１ケース５３を保持させるため、内箱４に固定された第１コネクタ５１のパネルロック構造を利用して内箱４に固定することができ、簡単な構成により第１コネクタ５１及び第２コネクタ５２を覆う第１ケース５３及び第２ケース５４を内箱４に固定することができる。
【００５４】
本実施形態では、第２ケース５４のリード挿通孔５４ｂに挿通されたリード線３９が、固定部５４ｈによって第２ケース５４に固定されているため、リード線３９に張力が作用しても、その力がリード線３９と第２コネクタ５２との連結部分などに作用しにくくなり、接続部５０において断線が発生しにくくなる。
【００５５】
本実施形態では、爪部５３ｅが冷蔵庫前側に位置し、突状片５４ｄが冷蔵庫奥側に位置するように、第１コネクタ５１の周りに第１ケース５３が固定されているため、第１ケース５３に対して第２ケース５４を回動させる回動軸を冷蔵庫奥側に配置させることができ、接続部５０を容易に組み立てることができる。
【００５６】
（５）変更例１
上記実施形態の変更例１について、主に図７を参照しながら、上記した実施形態と異なる部分を中心に説明する。なお、上記実施形態と同一の構成のものについては、同一の符号を付し、詳細な説明を省略する。
【００５７】
本変更例では、第２ケース５４がフランジ部５４ｃ、５３ｃに比べて肉薄に設けられたセルフヒンジ部１５６を介して第１ケース５３に一体に連結されている。これにより、第２ケース５４が、セルフヒンジ部１５６を中心として回動して第１ケース５３の開口部５３ａを開閉する。
【００５８】
このような変更例の冷蔵庫では、第１ケース５３と第２ケース５４を一部品とすることができ、組立作業性を向上させることができるとともに、低コスト化を図ることができる。
【００５９】
（６）変更例２
上記実施形態の変更例２について、主に図８を参照しながら、上記した実施形態と異なる部分を中心に説明する。なお、上記実施形態と同一の構成のものについては、同一の符号を付し、詳細な説明を省略する。
【００６０】
上記した実施形態では、第２ケース５４の底面の中央部にリード線３９を挿通するリード挿通孔５４ｂを設ける場合について説明したが、本変更例では、リード挿通孔２５４ｂが第２ケース５４の冷蔵庫幅方向の中央部Ｃより冷蔵庫幅方向外側に設けられている。
【００６１】
つまり、接続部５０が、冷蔵庫幅方向の一方側（図８では、冷蔵庫を正面から見て左側）へ寄った位置に設けられ、リード挿通孔２５４ｂが第２ケース５４の中央部Ｃより冷蔵庫幅方向の一方側に設けられている。
【００６２】
このような変更例では、リード線３９を接続部５０から冷蔵庫幅方向外側（つまり、冷蔵庫本体２の側壁側）へ引き出すことができるため、リード線３９が冷凍冷却器３４等のような庫内に配設された機器と干渉しにくくなり、リード線３９の配線が容易となる。
【００６３】
なお、本変更例では、図８に示すように、リード挿通孔５４ｂを第２ケース５４の底面に設けたが、第２ケース５４の側面に設けてもよい。
【００６４】
（７）その他の変更例
上記した実施形態では、接続部５０を冷凍冷却器室３２の天井面を構成する断熱仕切壁１２の下面に設けたが、内箱４の背面や側面など内箱４の内側の任意の場所に接続部５０を設けてもよい。
【００６５】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６６】
１…冷蔵庫、２…冷蔵庫本体、３…外箱、４…内箱、４ａ…仕切部、４ｂ…貫通孔、５…断熱材、６…冷蔵室、７…野菜室、９…第１冷凍室１０…第２冷凍室、１２…断熱仕切壁、３０…エバカバー、３２…冷凍冷却器室、３３…ダクト、３４…冷凍冷却器、３６…冷凍ファン、３７…排水樋、３８…除霜ヒータ、３９…リード線、４４…リード線、５０…接続部、５１…第１コネクタ、５１ａ…ハウジング、５１ｂ…アーム部、５１ｃ…庫内側当接部、５１ｄ…断熱側当接部、５１ｅ…係合突起、５１ｆ…傾斜面、５２…第２コネクタ、５２ａ…ハウジング、５２ｂ…係合爪、５３…第１ケース、５３ａ…開口部、５３ｂ…取付孔、５３ｃ…フランジ部、５３ｄ…第１係合枠、５３ｅ…爪部、５３ｆ…嵌合孔、５４…第２ケース、５４ａ…開口部、５４ｂ…リード挿通孔、５４ｃ…フランジ部、５４ｄ…突状片、５４ｅ…第２係合枠、５４ｆ…係合突起、５４ｇ…係合孔、５４ｈ…固定部、５５…ガスケット
【図１】
2020190362.tif 000003
【図２】
2020190362.tif 000004
【図３】
2020190362.tif 000005
【図４】
2020190362.tif 000006
【図５】
2020190362.tif 000007
【図６】
2020190362.tif 000008
【図７】
2020190362.tif 000009
【図８】
2020190362.tif 000010